【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
セルフタイマー撮影の際のセルフタイマーのカウントダウンの動作状態を発光により通知する発光手段と、
複数の動作モードのうちいずれかの動作モードに設定するモード設定手段と、
前記モード設定手段で第１の動作モードに設定されている場合のセルフタイマー撮影では前記発光手段によるセルフタイマーのカウントダウンの動作状態の通知を行い、前記モード設定手段で暗所用の第２の動作モードに設定されている場合のセルフタイマー撮影では前記発光手段によるセルフタイマーのカウントダウンの動作状態の通知を行わないように制御する制御手段と、を有することを特徴とする撮像装置。
【請求項２】
セルフタイマー撮影の際のセルフタイマーのカウントダウンの動作状態を発光により通知する発光手段と、
撮影された画像から特定の被写体を検出する被写体検出手段と、
セルフタイマー撮影の際に、前記被写体検出手段で前記特定の被写体を検出していた場合は、前記発光手段による前記セルフタイマーのカウントダウンの動作状態の通知を行い、
セルフタイマー撮影の際に、前記被写体検出手段で前記特定の被写体を検出していない場合は、前記発光手段によるセルフタイマーのカウントダウンの動作状態の通知を行わないように制御する制御手段と、を有することを特徴とする撮像装置。
【請求項３】
前記被写体検出手段は、撮影された画像から人物の顔を検出する顔検出手段であることを特徴とする請求項２に記載の撮像装置。
【請求項４】
複数の動作モードのいずれかに設定するモード設定手段をさらに有し、
前記制御手段は、前記モード設定手段で第１の動作モードに設定されている場合には前記被写体検出手段で前記特定の被写体を検出していたか否かに関わらず、セルフタイマー撮影の際に前記発光手段によるセルフタイマーのカウントダウンの動作状態の通知を行い、
前記モード設定手段で暗所用の第２の動作モードに設定されている場合は前記被写体検出手段で前記特定の被写体を検出していたか否かに応じて前記発光手段によるセルフタイマーのカウントダウンの動作状態の通知の有無を制御することを特徴とする請求項２に記載の撮像装置。
【請求項５】
セルフタイマー撮影におけるセルフタイマーの時間を設定する時間設定手段と、
セルフタイマー撮影の際のセルフタイマーのカウントダウンの動作状態を発光により通知する発光手段と、
セルフタイマー撮影の際に、前記時間設定手段で設定されたセルフタイマーの時間が所定時間以上である場合には前記発光手段によるセルフタイマーのカウントダウンの動作状態の通知を行い、
前記セルフタイマー撮影の際に、前記時間設定手段で設定されたセルフタイマーの時間が前記所定時間未満である場合には前記発光手段によるセルフタイマーのカウントダウンの動作状態の通知を行わないように制御する制御手段と、を有することを特徴とする撮像装置。
【請求項６】
複数の動作モードのいずれかに設定するモード設定手段をさらに有し、
前記制御手段は、前記モード設定手段で第１の動作モードに設定されている場合には前記時間設定手段で設定されたセルフタイマーの時間に関わらず、セルフタイマー撮影の際に前記発光手段によるセルフタイマーのカウントダウンの動作状態の通知を行い、
前記モード設定手段で暗所用の第２の動作モードに設定されている場合は前記時間設定手段で設定されたセルフタイマーの時間に応じて前記発光手段によるセルフタイマーのカウントダウンの動作状態の通知の有無を制御することを特徴とする請求項５に記載の撮像装置。
【請求項７】
前記モード設定手段は、複数の撮影モードのうちいずれかに設定する手段であり、
前記第１の動作モード及び前記第２の動作モードは、前記複数の撮影モードのうちいずれかの撮影モードであることを特徴とする請求項１、４、６のいずれか１項に記載の撮像装置。
【請求項８】
前記モード設定手段で設定可能な前記複数の動作モードは、暗所用の撮影モードでかつ人物撮影を行うための撮影モードではない第２の動作モードと、暗所用の撮影モードでかつ人物撮影を行うための撮影モードである第３の動作モードと、を含むことを特徴とする請求項７に記載の撮像装置。
【請求項９】
前記第２の動作モードは、ストロボ発光させない撮影モードであることを特徴とする請求項８に記載の撮像装置。
【請求項１０】
前記第３の動作モードでは、露出期間の異なる複数回の露出を行い、当該複数回の露出で撮像された複数の画像を多重合成した画像を生成することを特徴とする請求項８または９に記載の撮像装置。
【請求項１１】
前記第２の動作モードは、星空、夜景、打ち上げ花火の少なくともいずれかを撮影するための撮影モードであることを特徴とする請求項１、４、６乃至１０のいずれか１項に記載の撮像装置。
【請求項１２】
前記モード設定手段は、測光の結果に基づいて暗所での撮影が行われているか否かを判定し、暗所での撮影が行われている場合に前記第２の動作モードに設定することを特徴とする請求項１、４、６乃至１１のいずれか１項に記載の撮像装置。
【請求項１３】
セルフタイマー撮影の際のセルフタイマーのカウントダウンの動作状態を音で通知する発音手段をさらに有し、
前記制御手段は、前記発光手段によるセルフタイマーのカウントダウンの動作状態の通知を行わない場合は、前記発光手段による発光も前記発音手段による発音も行わないように制御することを特徴とする請求項１乃至１２のいずれか１項に記載の撮像装置。
【請求項１４】
セルフタイマーのカウントダウンの動作状態を音で通知する発音手段をさらに有し、
前記制御手段は、前記発光手段によるセルフタイマーのカウントダウンの動作状態の通知を行わない場合でも、前記発音手段による前記セルフタイマーのカウントダウンの動作状態の通知は行うように制御することを特徴とする請求項１乃至１２のいずれか１項に記載の撮像装置。
【請求項１５】
前記制御手段は、前記発光手段によるセルフタイマーのカウントダウンの動作状態の通知を行わない場合であっても、シャッターの開閉に合わせたシャッター音は発音するように制御することを特徴とする請求項１乃至１４のいずれか１項に記載の撮像装置。
【請求項１６】
セルフタイマー撮影の際のセルフタイマーのカウントダウンの動作状態を発光により通知する発光手段を有する撮像装置の制御方法であって、
複数の動作モードのうちいずれかの動作モードに設定するモード設定工程と、
前記モード設定工程で第１の動作モードに設定されている場合のセルフタイマー撮影では前記発光手段によるセルフタイマーのカウントダウンの動作状態の通知を行い、前記モード設定工程で暗所用の第２の動作モードに設定されている場合のセルフタイマー撮影では前記発光手段によるセルフタイマーのカウントダウンの動作状態の通知を行わないように制御する制御工程と、を有することを特徴とする撮像装置の制御方法。
【請求項１７】
セルフタイマー撮影の際のセルフタイマーのカウントダウンの動作状態を発光により通知する発光手段を有する撮像装置の制御方法であって、
撮影された画像から特定の被写体を検出する被写体検出工程と、
セルフタイマー撮影の際に、前記被写体検出工程で前記特定の被写体を検出していた場合は、前記発光手段による前記セルフタイマーのカウントダウンの動作状態の通知を行い、
セルフタイマー撮影の際に、前記被写体検出工程で前記特定の被写体を検出していない場合は、前記発光手段によるセルフタイマーのカウントダウンの動作状態の通知を行わないように制御する制御工程と、を有することを特徴とする撮像装置の制御方法。
【請求項１８】
セルフタイマー撮影の際のセルフタイマーのカウントダウンの動作状態を発光により通知する発光手段を有する撮像装置の制御方法であって、
セルフタイマー撮影におけるセルフタイマーの時間を設定する時間設定工程と、
セルフタイマー撮影の際に、前記時間設定工程で設定されたセルフタイマーの時間が所定時間以上である場合には前記発光手段によるセルフタイマーのカウントダウンの動作状態の通知を行い、
前記セルフタイマー撮影の際に、前記時間設定工程で設定されたセルフタイマーの時間が前記所定時間未満である場合には前記発光手段によるセルフタイマーのカウントダウンの動作状態の通知を行わないように制御する制御工程と、を有することを特徴とする撮像装置の制御方法。
【請求項１９】
コンピュータを、請求項１乃至１５のいずれか１項に記載された撮像装置の各手段として機能させるプログラム。
【請求項２０】
コンピュータを、請求項１乃至１５のいずれか１項に記載された撮像装置の各手段として機能させるプログラムを格納した記憶媒体。
【手続補正２】
【補正対象書類名】明細書
【補正対象項目名】０００９
【補正方法】変更
【補正の内容】
【０００９】
上記課題を解決し、目的を達成するために、本発明の撮像装置は、セルフタイマー撮影の際のセルフタイマーのカウントダウンの動作状態を発光により通知する発光手段と、複数の動作モードのうちいずれかの動作モードに設定するモード設定手段と、前記モード設定手段で第１の動作モードに設定されている場合のセルフタイマー撮影では前記発光手段によるセルフタイマーのカウントダウンの動作状態の通知を行い、前記モード設定手段で暗所用の第２の動作モードに設定されている場合のセルフタイマー撮影では前記発光手段によるセルフタイマーのカウントダウンの動作状態の通知を行わないように制御する制御手段と、を有する。
【手続補正３】
【補正対象書類名】明細書
【補正対象項目名】０１３４
【補正方法】変更
【補正の内容】
【０１３４】
Ｓ８０１〜Ｓ８１０は、図５のＳ５０３〜Ｓ５１２と同様の処理であるため説明を省略する。
【手続補正４】
【補正対象書類名】明細書
【補正対象項目名】０１６０
【補正方法】変更
【補正の内容】
【０１６０】
ここで例示した図９（ｂ）、（ｃ）の表示形態は、適宜組み合わせても良い。撮影開始からの経過時間９１１は、静止画撮影ごとのタイミングで１回更新して表示し、静止画撮影間のインターバル中（途中）では更新しない。このようにすることで、ユーザは経過時間だけでなく、更新された経過時間の差分から撮影間隔も知ることが可能である。例えば、Ｎ回目の静止画撮得時に経過時間９１１が１２分３４秒と表示されており、Ｎ＋１回目の静止画撮影までは１２分３４秒と表示されたままで、Ｎ＋１回目の静止画撮影が行われた場合に１２分４０秒と更新されたとする。この場合は、ユーザは１回の撮影間隔は６秒であることがわかる。すなわち、１回の撮影での露光時間、ダーク処理時間、その他の処理時間が６秒程度であることがわかる。これにより経過時間と撮影間隔を１つの時間情報で示すことができるため、表示スペースを節約することができ、表示部１０１に表示される合成画像９１０が見難くなることを防ぐことができる。また、その時点で生成されている合成画像９１０を経過時間９１１と共にレビュー表示することで、ユーザは経過時間と軌跡の長さを関連付けることができ、所望の長さの軌跡を撮影するために必要な残り時間を見積もることが可能である。